(57)【要約】【課題】現像ローラを軸方向に良好に位置決めすることを目的とする。【解決手段】画像形成装置は、現像ローラ６２を備える現像カートリッジ６０と、現像カートリッジ６０が着脱可能で、第１ベアリング（ベアリング１１０）を備えるドラムカートリッジと、ドラムカートリッジが着脱可能な装置本体を備える。装置本体は、第１位置決め部を有する。第１ベアリングは、感光体ドラムの一端部を回転可能に支持する円筒状の支持部１１１と、支持部１１１の外周面から延出する板状のベース部１１３を備える。ベース部１１３は、現像ローラ６２のシャフト６２Ａをガイドするガイド溝Ｇ１と、ドラムカートリッジが装置本体に装着された状態において、第１位置決め部に、現像ローラ６２の軸方向で接触する第１接触面ＴＦ１を有する接触部（接触突起Ｔ１）を有する。接触部の第１接触面ＴＦ１の一部は、軸方向に投影した場合に、現像ローラ６２の一部と重なる。【選択図】図３
2020140068.tif 000002
【特許請求の範囲】
【請求項１】
シャフトを含む現像ローラを備える現像カートリッジと、
前記現像カートリッジが着脱可能なドラムカートリッジであって、感光体ドラム、前記感光体ドラムの一端部を回転可能に支持する第１ベアリング、および、前記第１ベアリングを支持するフレームを備えるドラムカートリッジと、
前記現像カートリッジが装着された状態の前記ドラムカートリッジが着脱可能な装置本体と、を備える画像形成装置であって、
前記装置本体は、第１位置決め部を有し、
前記第１ベアリングは、
前記感光体ドラムの前記一端部を回転可能に支持する円筒状の支持部と、
前記支持部の外周面から延出する板状のベース部と、を備え、
前記ベース部は、
前記現像ローラの前記シャフトをガイドするガイド溝と、
前記現像カートリッジが装着された状態の前記ドラムカートリッジが前記装置本体に装着された状態において、前記第１位置決め部に、前記現像ローラの軸方向で接触する第１接触面を有する接触部と、を有し、
前記接触部の前記第１接触面の一部は、前記軸方向に投影した場合に、前記現像ローラの一部と重なることを特徴とする画像形成装置。
【請求項２】
前記装置本体は、第２位置決め部を有し、
前記第１ベアリングは、前記現像カートリッジが装着された状態の前記ドラムカートリッジが前記装置本体に装着された状態において、前記第２位置決め部に、前記軸方向で接触する第２接触面を有することを特徴とする請求項１に記載の画像形成装置。
【請求項３】
前記第１接触面は、前記軸方向において、前記第２接触面よりも前記感光体ドラムの前記軸方向の中央から遠い位置に位置することを特徴とする請求項２に記載の画像形成装置。
【請求項４】
前記ドラムカートリッジは、前記感光体ドラムを駆動するための駆動力が入力されるドラムカップリングを備え、
前記ドラムカップリングは、前記感光体ドラムの前記軸方向の他端部に位置することを特徴とする請求項２または請求項３に記載の画像形成装置。
【請求項５】
前記現像カートリッジは、前記現像ローラを駆動するための駆動力が入力される現像カップリングを備え、
前記現像カップリングは、前記現像カートリッジの前記軸方向における他端部に位置する請求項１から請求項４のいずれか１項に記載の画像形成装置。
【請求項６】
前記接触部は、前記ベース部から前記軸方向に突出することを特徴とする請求項１から請求項５のいずれか１項に記載の画像形成装置。
【請求項７】
前記接触部は、前記ガイド溝を挟んだ両側に設けられることを特徴とする請求項６に記載の画像形成装置。
【請求項８】
前記第１ベアリングは、前記ベース部から前記軸方向に突出する２つの突起を有し、
前記接触部は、前記２つの突起の先端同士を連結することを特徴とする請求項１から請求項５のいずれか１項に記載の画像形成装置。
【請求項９】
前記装置本体は、第２位置決め部を有し、
前記ドラムカートリッジは、前記感光体ドラムの他端部を回転可能に支持する第２ベアリングを備え、
前記第２ベアリングは、前記現像カートリッジが装着された状態の前記ドラムカートリッジが前記装置本体に装着された状態において、前記第２位置決め部に、前記軸方向で接触する第２接触面を有することを特徴とする請求項１に記載の画像形成装置。
【請求項１０】
前記ドラムカートリッジは、前記感光体ドラムを駆動するための駆動力が入力されるドラムカップリングを備え、
前記ドラムカップリングは、前記感光体ドラムの前記軸方向の前記一端部に位置することを特徴とする請求項９に記載の画像形成装置。
【請求項１１】
前記ドラムカートリッジは、前記現像カートリッジを前記軸方向の一端側に向けて付勢する付勢部材を備えることを特徴とする請求項９または請求項１０に記載の画像形成装置。
【発明の詳細な説明】
【技術分野】
【０００１】
本発明は、感光体ドラムを支持するベアリングを備える画像形成装置に関する。
【背景技術】
【０００２】
従来、ドラムカートリッジとして、ドラムフレームと、ドラムフレームに支持されるベアリングと、ベアリングに回転可能に支持される感光体ドラムと、を備えたものが知られている（特許文献１参照）。この技術では、ベアリングは、現像ローラのシャフトをガイドするガイド溝を有している。
【先行技術文献】
【特許文献】
【０００３】
【特許文献１】特開２０１２−１１８１７６号公報
【発明の概要】
【発明が解決しようとする課題】
【０００４】
ところで、現像ローラをバネ等によって軸方向に付勢してベアリングのガイド溝の周囲の部分に押し付けることで、現像ローラを軸方向に位置決めすることが考えられる。しかしながら、このように構成した場合には、ベアリングのガイド溝の周囲の部分が変形して、現像ローラを軸方向に良好に位置決めすることができなくなるおそれがある。
【０００５】
そこで、本発明は、現像ローラを軸方向に良好に位置決めすることを目的とする。
【課題を解決するための手段】
【０００６】
前記課題を解決するため、本発明に係る画像形成装置は、シャフトを含む現像ローラを備える現像カートリッジと、前記現像カートリッジが着脱可能なドラムカートリッジであって、感光体ドラム、前記感光体ドラムの一端部を回転可能に支持する第１ベアリング、および、前記第１ベアリングを支持するフレームを備えるドラムカートリッジと、前記現像カートリッジが装着された状態の前記ドラムカートリッジが着脱可能な装置本体と、を備える。
前記装置本体は、第１位置決め部を有する。
前記第１ベアリングは、前記感光体ドラムの前記一端部を回転可能に支持する円筒状の支持部と、前記支持部の外周面から延出する板状のベース部と、を備える。
前記ベース部は、前記現像ローラの前記シャフトをガイドするガイド溝と、前記現像カートリッジが装着された状態の前記ドラムカートリッジが前記装置本体に装着された状態において、前記第１位置決め部に、前記現像ローラの軸方向で接触する第１接触面を有する接触部と、を有する。
前記接触部の前記第１接触面の一部は、前記軸方向に投影した場合に、前記現像ローラの一部と重なる。
【０００７】
この構成によれば、現像カートリッジが装着された状態のドラムカートリッジが装置本体に装着されると、軸方向に投影した現像ローラの一部と重なる部分を有する、接触部の第１接触面が装置本体の第１位置決め部と軸方向で接触する。これにより、板状のベース部が軸方向に変形するのを抑えることができるので、現像ローラを軸方向に良好に位置決めすることができる。
【０００８】
また、前記装置本体は、第２位置決め部を有し、前記第１ベアリングは、前記現像カートリッジが装着された状態の前記ドラムカートリッジが前記装置本体に装着された状態において、前記第２位置決め部に、前記軸方向で接触する第２接触面を有していてもよい。
【０００９】
また、前記第１接触面は、前記軸方向において、前記第２接触面よりも前記感光体ドラムの前記軸方向の中央から遠い位置に位置していてもよい。
【００１０】
また、前記ドラムカートリッジは、前記感光体ドラムを駆動するための駆動力が入力されるドラムカップリングを備え、前記ドラムカップリングは、前記感光体ドラムの前記軸方向の他端部に位置していてもよい。
【００１１】
また、前記現像カートリッジは、前記現像ローラを駆動するための駆動力が入力される現像カップリングを備え、前記現像カップリングは、前記現像カートリッジの前記軸方向における他端部に位置していてもよい。
【００１２】
また、前記接触部は、前記ベース部から前記軸方向に突出していてもよい。
【００１３】
また、前記接触部は、前記ガイド溝を挟んだ両側に設けられていてもよい。
【００１４】
これによれば、板状のベース部が軸方向に変形するのをより抑えることができる。
【００１５】
また、前記装置本体は、第２位置決め部を有し、前記ドラムカートリッジは、前記感光体ドラムの他端部を回転可能に支持する第２ベアリングを備え、前記第２ベアリングは、前記現像カートリッジが装着された状態の前記ドラムカートリッジが前記装置本体に装着された状態において、前記第２位置決め部に、前記軸方向で接触する第２接触面を有していてもよい。
【００１６】
また、前記ドラムカートリッジは、前記感光体ドラムを駆動するための駆動力が入力されるドラムカップリングを備え、前記ドラムカップリングは、前記感光体ドラムの前記軸方向の前記一端部に位置していてもよい。
【００１７】
また、前記ドラムカートリッジは、前記現像カートリッジを前記軸方向の一端側に向けて付勢する付勢部材を備えていてもよい。
【発明の効果】
【００１８】
本発明によれば、現像ローラを軸方向に良好に位置決めすることができる。
【図面の簡単な説明】
【００１９】
【図１】本発明の一実施形態に係るカラープリンタの概略構成を示す図である。
【図２】ドラムカートリッジの軸方向の一端側の構造を示す斜視図である。
【図３】一端側のベアリングを示す斜視図（ａ）と側面図（ｂ）である。
【図４】プロセスカートリッジの軸方向の他端側の構造を示す斜視図である。
【図５】他端側のベアリングを示す斜視図（ａ）と側面図（ｂ）である。
【図６】ドラムカートリッジと現像カートリッジを軸方向において装置本体に位置決めするための構成を示す図である。
【図７】接触突起の変形例を示す斜視図である。
【図８】現像カートリッジを付勢する板バネを示す図（ａ）〜（ｃ）である。
【図９】第１位置決め部の位置を変更した形態を示す側面図である。
【発明を実施するための形態】
【００２０】
次に、本発明の一実施形態について、適宜図面を参照しながら詳細に説明する。
図１に示すように、画像形成装置の一例としてのカラープリンタ１は、装置本体１０と、トップカバー１１と、給紙部２０と、画像形成部３０とを備えている。
【００２１】
トップカバー１１は、装置本体１０の上部に形成された開口１０Ａを開閉するカバーである。トップカバー１１は、装置本体１０の上部に配置されている。トップカバー１１は、回動軸１１Ａを中心として装置本体１０に回動可能に設けられている。トップカバー１１の上面は、排紙された用紙Ｐを載置するための排紙トレイ１１Ｂとなっている。
【００２２】
給紙部２０は、装置本体１０内の下部に設けられ、用紙Ｐを収容する給紙トレイ２１と、給紙トレイ２１から用紙Ｐを画像形成部３０に供給する用紙供給機構２２とを備えている。給紙トレイ２１内の用紙Ｐは、用紙供給機構２２によって１枚ずつ分離されて画像形成部３０に供給される。
【００２３】
画像形成部３０は、４つの露光ヘッド４０と、４つのプロセスカートリッジＰＣと、転写ユニット７０と、定着ユニット８０とを備えている。
【００２４】
露光ヘッド４０は、複数のＬＥＤを有している。露光ヘッド４０は、トップカバー１１から吊り下げられるようにトップカバー１１に保持されている。露光ヘッド４０は、複数のＬＥＤが画像データに基づいて明滅することで、感光体ドラム５１の表面を露光する。
【００２５】
各プロセスカートリッジＰＣは、トップカバー１１と給紙トレイ２１との間に配置されている。各プロセスカートリッジＰＣは、トップカバー１１が開かれた状態において、開口１０Ａを通して装置本体１０に着脱可能となっている。プロセスカートリッジＰＣは、ドラムカートリッジ５０と、ドラムカートリッジ５０に着脱可能な現像カートリッジ６０とを備えている。
【００２６】
ドラムカートリッジ５０は、円筒状の感光体ドラム５１と、感光体ドラム５１を帯電する帯電器５２と、現像カートリッジ６０を感光体ドラム５１に向けて付勢する押圧バネ５３と、クリーニングローラ５４と、感光体ドラム５１等を支持するドラムフレーム５５とを備えている。
【００２７】
クリーニングローラ５４は、感光体ドラム５１上に残ったトナー等の異物を回収するローラである。クリーニングローラ５４は、感光体ドラム５１に接触して回転可能となっている。クリーニングローラ５４は、シャフト５４Ａと、シャフト５４Ａの周囲に設けられるローラ部５４Ｂとを含んでいる。
【００２８】
現像カートリッジ６０は、トナーを収容する現像筐体６１と、現像筐体６１内のトナーを感光体ドラム５１に供給する現像ローラ６２とを備えている。現像ローラ６２は、シャフト６２Ａと、シャフト６２Ａの周囲に設けられるローラ部６２Ｂとを含んでいる。現像ローラ６２は、押圧バネ５３によって感光体ドラム５１に付勢された状態で回転可能となっている。
【００２９】
転写ユニット７０は、給紙トレイ２１とプロセスカートリッジＰＣとの間に設けられている。転写ユニット７０は、駆動ローラ７１と、従動ローラ７２と、無端状の搬送ベルト７３と、４つの転写ローラ７４とを備えている。駆動ローラ７１および従動ローラ７２は、搬送ベルト７３を支持している。
【００３０】
搬送ベルト７３は、用紙Ｐを搬送するベルトである。搬送ベルト７３は、外側の面が各感光体ドラム５１に接している。各転写ローラ７４は、各感光体ドラム５１との間で搬送ベルト７３を挟持している。
【００３１】
定着ユニット８０は、加熱ローラ８１と、加圧ローラ８２とを備えている。加圧ローラ８２は、加熱ローラ８１に押圧される。
【００３２】
このような画像形成部３０では、まず、帯電器５２が、感光体ドラム５１の表面を帯電させる。その後、露光ヘッド４０が、感光体ドラム５１の表面を露光する。これにより、感光体ドラム５１上に静電潜像が形成される。
【００３３】
次いで、現像ローラ６２が、感光体ドラム５１上の静電潜像にトナーを供給する。これにより、感光体ドラム５１上にトナー像が形成される。
【００３４】
用紙Ｐが搬送ベルト７３と感光体ドラム５１の間を通過するときに、感光体ドラム５１上のトナー像は、用紙Ｐ上に転写される。その後、用紙Ｐ上のトナー像は、定着ユニット８０で定着される。次いで、用紙Ｐは、排出ローラ９１によって排紙トレイ１１Ｂに排出される。
【００３５】
次に、ドラムカートリッジ５０の構造と、ドラムカートリッジ５０周りの装置本体１０の構造について詳細に説明する。なお、以下の説明では、感光体ドラム５１および現像ローラ６２の軸方向を、単に「軸方向」と称する。
【００３６】
図２に示すように、ドラムカートリッジ５０は、軸方向の一端に、第１ベアリングの一例としてのベアリング１１０を備えている。ベアリング１１０は、感光体ドラム５１の一端部を回転可能に支持するための部材である。ベアリング１１０は、ドラムフレーム５５によって支持されている。
【００３７】
ベアリング１１０は、接触部の一例としての２つの接触突起Ｔ１と、第２接触面ＴＦ２と有している。一方、装置本体１０は、２つの第１位置決め部ＰＰ１と、第２位置決め部ＰＰ２とを有している。各接触突起Ｔ１は、先端に第１接触面ＴＦ１をそれぞれ有している。
【００３８】
第１接触面ＴＦ１は、プロセスカートリッジＰＣ（現像カートリッジ６０が装着された状態のドラムカートリッジ５０）が装置本体１０に装着された状態において、第１位置決め部ＰＰ１に、軸方向で接触する面である。第２接触面ＴＦ２は、プロセスカートリッジＰＣが装置本体１０に装着された状態において、第２位置決め部ＰＰ２に、軸方向で接触する面である。図６に示すように、第１接触面ＴＦ１は、軸方向において、第２接触面ＴＦ２よりも感光体ドラム５１の軸方向の中央ＣＬから遠い位置に位置している。
【００３９】
図３（ａ），（ｂ）に示すように、一端側のベアリング１１０は、円筒状の支持部１１１と、支持部１１１の一端に位置する壁１１２と、支持部１１１の他端に位置するベース部１１３とを有している。支持部１１１は、感光体ドラム５１の一端部を回転可能に支持する部分である。なお、支持部１１１は、感光体ドラム５１の一端部を直接支持してもよいし、感光体ドラム５１の一端に固定される部材を支持することで、感光体ドラム５１の一端部を間接的に支持してもよい。
【００４０】
壁１１２は、円筒状の支持部１１１の一端側の開口を覆うように形成されている。壁１１２は、前述した第２接触面ＴＦ２を有している。ベース部１１３は、板状の部位である。ベース部１１３は、支持部１１１の外周面から延出している。
【００４１】
ベース部１１３は、ガイド溝Ｇ１と、ヘッド支持面Ｆ１と、前述した２つの接触突起Ｔ１とを有している。
【００４２】
ガイド溝Ｇ１は、現像ローラ６２のシャフト６２Ａをガイドする溝である。詳しくは、ガイド溝Ｇ１は、図３（ｂ）にドットのハッチングで示す軸受部Ｂ１１を介してシャフト６２Ａをガイドしている。
【００４３】
ここで、現像カートリッジ６０は、軸受部Ｂ１１を有する現像軸受Ｂ１を備えている。現像軸受Ｂ１は、現像カートリッジ６０の現像筐体６１に設けられている。現像軸受Ｂ１は、軸受部Ｂ１１と、板状のベース部Ｂ１２とを有する。
【００４４】
軸受部Ｂ１１は、シャフト６２Ａを回転可能に支持する部位である。ベース部Ｂ１２は、軸受部Ｂ１１の外周面から延出している。ベース部Ｂ１２は、ベアリング１１０のベース部１１３に接触する当て面Ｂ１３を有している。当て面Ｂ１３は、軸受部Ｂ１１を囲うように形成されている。当て面Ｂ１３は、ベース部１１３のうちガイド溝Ｇ１の周囲の部分に接触する。
【００４５】
ヘッド支持面Ｆ１は、露光ヘッド４０と接触する面である。露光ヘッド４０がヘッド支持面Ｆ１と接触することで、露光ヘッド４０と感光体ドラム５１の間隔を一定の間隔に保持することが可能となっている。
【００４６】
接触突起Ｔ１は、ベース部１１３から軸方向に突出している。２つの接触突起Ｔ１は、ガイド溝Ｇ１を挟んだ両側にそれぞれ設けられている。そして、接触突起Ｔ１の第１接触面ＴＦ１の一部は、軸方向に投影した場合に、現像ローラ６２の一部と重なっている。
【００４７】
図４に示すように、ドラムカートリッジ５０は、軸方向の他端に、ベアリング１２０を備えている。ベアリング１２０は、感光体ドラム５１の他端部を回転可能に支持するための部材である。ベアリング１２０は、ドラムフレーム５５によって支持されている。
【００４８】
感光体ドラム５１の軸方向の他端には、ドラムカップリングＣＰ１が設けられている。ドラムカップリングＣＰ１は、後述する第１駆動力出力部材２１０（図６参照）から、感光体ドラム５１を駆動するための駆動力が入力される部材である。
【００４９】
現像カートリッジ６０の軸方向の他端には、現像カップリングＣＰ２が設けられている。現像カップリングＣＰ２は、後述する第２駆動力出力部材３１０（図６参照）から、現像ローラ６２を駆動するための駆動力が入力される部材である。
【００５０】
図５（ａ），（ｂ）に示すように、他端側のベアリング１２０は、円筒状の支持部１２１と、ベース部１２３とを有している。支持部１２１は、感光体ドラム５１の他端部を回転可能に支持する部分である。具体的に、支持部１２１は、感光体ドラム５１の他端に固定されるドラムカップリングＣＰ１（図４参照）を支持することで、感光体ドラム５１の他端部を間接的に支持している。
【００５１】
ベース部１２３は、板状の部位である。ベース部１２３は、支持部１２１の外周面から延出している。
【００５２】
ベース部１２３は、ガイド溝Ｇ２と、ヘッド支持面Ｆ２と、突起Ｔ２とを有している。
【００５３】
ガイド溝Ｇ２は、現像ローラ６２のシャフト６２Ａをガイドする溝である。詳しくは、ガイド溝Ｇ２は、図にドットのハッチングで示す軸受Ｂ２を介してシャフト６２Ａをガイドしている。ここで、軸受Ｂ２は、シャフト６２Ａを回転可能に支持する部材である。軸受Ｂ２は、前述した現像カートリッジ６０の現像筐体６１に設けられている。
【００５４】
ヘッド支持面Ｆ２は、露光ヘッド４０と接触する面である。露光ヘッド４０がヘッド支持面Ｆ２と接触することで、露光ヘッド４０と感光体ドラム５１の間隔を一定の間隔に保持することが可能となっている。
【００５５】
突起Ｔ２は、ベース部１２３から軸方向に突出している。突起Ｔ２は、ガイド溝Ｇ１の周囲に配置されている。詳しくは、突起Ｔ２の先端面Ｔ２１の一部は、軸方向に投影した場合に、現像ローラ６２の一部と重なっている。なお、本実施形態では、突起Ｔ２は、特に機能しないので、なくてもよい。
【００５６】
図６に示すように、装置本体１０は、第１駆動力出力部材２１０と、第１駆動力伝達部材２２０と、第２駆動力出力部材３１０と、第２駆動力伝達部材３２０とをさらに備えている。
【００５７】
第１駆動力伝達部材２２０は、装置本体１０に回転可能に支持されている。第１駆動力伝達部材２２０は、装置本体１０に設けられる図示せぬモータからの駆動力が入力されるギヤ部２２１と、ギヤ部２２１から軸方向に突出する突出部２２２とを有している。
【００５８】
第１駆動力出力部材２１０は、ドラムカップリングＣＰ１に駆動力を出力する部材である。第１駆動力出力部材２１０は、軸方向に進退可能となるように、第１駆動力伝達部材２２０の突出部２２２に支持されている。第１駆動力出力部材２１０は、突出部２２２に対して、感光体ドラム５１の回転方向において係合している。
【００５９】
第１駆動力出力部材２１０のドラムカートリッジ５０側の端部には、ドラムカップリングＣＰ１に駆動力を伝達するための複数の突起２１１が設けられている。第１駆動力出力部材２１０と第１駆動力伝達部材２２０との間には、図示せぬバネが設けられている。
【００６０】
第１駆動力出力部材２１０は、ドラムカップリングＣＰ１に接続される接続位置と、ドラムカップリングＣＰ１から退避した退避位置との間で移動可能となっている。第１駆動力出力部材２１０は、図示せぬカムによって接続位置から退避位置に向けて押圧されることで、接続位置から退避位置にバネの付勢力に抗して移動する。また、第１駆動力出力部材２１０は、退避位置に位置する状態においてカムが外れることで、バネの付勢力によって退避位置から接触位置に移動する。
【００６１】
第２駆動力出力部材３１０は、現像カップリングＣＰ２に駆動力を出力する部材である。第２駆動力出力部材３１０は、現像カップリングＣＰ２に接続される接続位置と、現像カップリングＣＰ２から退避した退避位置との間で移動可能となっている。なお、第２駆動力出力部材３１０および第２駆動力伝達部材３２０は、前述した第１駆動力出力部材２１０および第１駆動力伝達部材２２０と略同様の構造であるため、詳細な説明は省略する。
【００６２】
プロセスカートリッジＰＣが装置本体１０に装着された状態において、第１駆動力出力部材２１０が退避位置から接続位置に向けて移動すると、第１駆動力出力部材２１０によってドラムカートリッジ５０が第２位置決め部ＰＰ２に向けて押圧される。そして、ドラムカートリッジ５０の第２接触面ＴＦ２が第２位置決め部ＰＰ２と接触すると、ドラムカートリッジ５０が軸方向に位置決めされる。
【００６３】
プロセスカートリッジＰＣが装置本体１０に装着された状態において、第２駆動力出力部材３１０が退避位置から接続位置に向けて移動すると、第２駆動力出力部材３１０によって現像カートリッジ６０が軸方向の一方側に押圧される。これにより、図３（ａ）に示すように、現像カートリッジ６０の一端側にある現像軸受Ｂ１の当て面Ｂ１３が、ドラムカートリッジ５０のベアリング１１０のベース部１１３に接触する。
【００６４】
このように現像軸受Ｂ１の当て面Ｂ１３がベース部１１３に接触すると、ベース部１１３に力がかかって、ベース部１１３が軸方向の一方側に撓もうとする。しかしながら、ベース部１１３から軸方向に突出する接触突起Ｔ１の先端にある第１接触面ＴＦ１が、図６に示すように、装置本体１０の第１位置決め部ＰＰ１に接触することで、ベース部１１３の撓みが規制されるので、現像カートリッジ６０を軸方向に良好に位置決めすることができる。
【００６５】
以上によれば、本実施形態において以下のような効果を得ることができる。
板状のベース部１１３が軸方向に変形するのを抑えることができるので、現像ローラ６２を軸方向に良好に位置決めすることができる。
【００６６】
接触突起Ｔ１がガイド溝Ｇ１を挟んだ両側に設けられているので、板状のベース部１１３が軸方向に変形するのをより抑えることができる。
【００６７】
なお、本発明は前記実施形態に限定されることなく、以下に例示するように様々な形態で利用できる。以下の説明においては、前記実施形態と略同様の構造となる部材には同一の符号を付し、その説明は省略する。
【００６８】
図７に示すように、ベアリング１１０は、２つの接触突起Ｔ１の先端同士を連結する連結部Ｒ１をさらに有していてもよい。そして、連結部Ｒ１が、装置本体１０の第１位置決め部ＰＰ１に接触する第１接触面Ｒ１１を有していてもよい。この形態によれば、装置本体１０に設ける第１位置決め部ＰＰ１の数を、例えば１つとすることができる。
【００６９】
図８（ａ）に示すように、ドラムカートリッジ５０の一端側に、付勢部材の一例としての板バネＳＰ１を設けてもよい。板バネＳＰ１は、現像カートリッジ６０を軸方向の他端側に向けて付勢するための部材である。なお、付勢部材は、板バネＳＰ１に限らず、例えば、線バネ、コイルバネ、トーションバネなどであってもよい。
【００７０】
図８（ｂ），（ｃ）に示すように、板バネＳＰ１は、ドラムフレーム５５に固定される固定部ＳＰ１１と、固定部ＳＰ１１から折り曲げられた付勢部ＳＰ１２とを有する。付勢部ＳＰ１２は、現像カートリッジ６０と接触して、現像カートリッジ６０を軸方向の他端側に向けて付勢するための部位である。
【００７１】
板バネＳＰ１は、前述した第２駆動力伝達部材３２０を付勢するバネの付勢力よりも大きな付勢力を発生するバネとすることができる。この場合、現像カートリッジ６０は、前記実施形態とは逆に、ドラムカートリッジ５０に対して軸方向の他端側に付勢されることになる。
【００７２】
そのため、この場合には、図９に示すように、第１位置決め部ＰＰ１を、軸方向の他端側に配置して、軸方向の他端側にあるベアリング１２０の突起Ｔ２の先端面Ｔ２１と接触させればよい。なお、この形態では、ベアリング１２０が第１ベアリングに相当し、ベアリング１１０が第２ベアリングに相当する。つまり、この形態では、前記実施形態の軸方向の一端、他端を、逆にして見た場合の例に相当する。詳しくは、前記実施形態では、図６の図示右側を、軸方向の一端、図示左側を、軸方向の他端としているが、この形態では、図９の図示左側を、軸方向の一端、図示右側を、軸方向の他端としている。
【００７３】
そのため、この形態では、前記実施形態において軸方向の他端に配置されていたベアリング１２０とドラムカップリングＣＰ１は、軸方向の一端に配置され、前記実施形態において軸方向の一端に配置されていたベアリング１１０は、軸方向の他端に配置されている。また、この形態では、板バネＳＰ１は、現像カートリッジ６０を軸方向の一端側に向けて付勢している。したがって、この形態では、突起Ｔ２が接触部に相当し、先端面Ｔ２１が第１接触面に相当する。
【００７４】
前記実施形態では、第１接触面ＴＦ１を、軸方向において、第２接触面ＴＦ２よりも感光体ドラム５１の軸方向の中央ＣＬから遠い位置に配置したが、本発明はこれに限定されるものではない。例えば、軸方向において第１接触面と第２接触面を同じ位置に配置してもよいし、第２接触面を、軸方向において、第１接触面よりも感光体ドラムの中央から遠い位置に配置してもよい。
【００７５】
前記実施形態では、カラープリンタ１に本発明を適用したが、本発明はこれに限定されず、その他の画像形成装置、例えばモノクロのプリンタ、複写機、複合機などに本発明を適用してもよい。
【００７６】
前記した実施形態および変形例で説明した各要素を、任意に組み合わせて実施してもよい。
【符号の説明】
【００７７】
１      カラープリンタ
１０    装置本体
５０    ドラムカートリッジ
５１    感光体ドラム
５５    ドラムフレーム
６０    現像カートリッジ
６２    現像ローラ
６２Ａ  シャフト
１１０  ベアリング
１１１  支持部
１１３  ベース部
Ｇ１    ガイド溝
ＰＰ１  第１位置決め部
Ｔ１    接触突起
ＴＦ１  第１接触面
【図１】
2020140068.tif 000003
【図２】
2020140068.tif 000004
【図３】
2020140068.tif 000005
【図４】
2020140068.tif 000006
【図５】
2020140068.tif 000007
【図６】
2020140068.tif 000008
【図７】
2020140068.tif 000009
【図８】
2020140068.tif 000010
【図９】
2020140068.tif 000011